(57)【要約】【課題】従来のサポータの形状では、片手で装着するので、サポータを手首に巻回する際、引っ張りながら巻回するので、本体がずれてしまい、ＣＭ関節部を的確に圧迫固定しながらうまく巻回することができないという大きな問題があった。【解決手段】手の親指の付け根にある関節の炎症を予防、改善するためのサポータであって、伸縮性部材からなる略逆Ｔ字状を有し、立ち上がった部分に手の親指が挿入できる円筒状部１を有する親指キャップを設け、横に平行な部分２は、一方が手首に巻回できる部分２ａを有し、その端部にマジック（登録商標）テープ３が設けられており、さらに他方は装着する手の親指の他の指で押さえることができる押さえ部分２ｂを有し、さらに親指の付け根にあるＣＭ関節を圧迫固定するクッション材４を円筒状部の下方斜めに取り付けた手の親指の付け根にあるＣＭ的確関節用サポータ【選択図】図１
2020069362.tif 000002
【特許請求の範囲】
【請求項１】
手の親指の付け根にあるＣＭ関節の炎症を予防、改善するためのサポータであって、伸縮性部材からなる略逆Ｔ字状を有し、立ち上がった部分に手の親指が挿入できる円筒状部を有する親指キャップを設け、横に平行な部分は、一方が手首に巻回できる部分を有し、その端部にマジック（登録商標）テープが設けられており、さらに他方は装着する手の親指の他の指で押さえることができる押さえ部分を有し、さらに親指の付け根にあるＣＭ関節を押さえるクッション材を円筒状部の下方斜めに取り付けることを特徴とする手の親指の付け根にあるＣＭ関節用サポータ
【発明の詳細な説明】
【技術分野】
【０００１】
現在、手の親指の付け根の甲側が出っ張り、痛みと共に亜脱臼を併発してしまう症状が増えている。この症状はＣＭ関節症（母指手根中手関節症）と呼ばれている。この症状は結局のところ、ＣＭ関節だけを的確に固定するサポータがなく、そのまま放置して痛みが増したり、治まったりを繰り返しながら、次第に手の親指の付け根がはっきりと出っ張り、亜脱臼と痛みを進行させてしまう。この状態で、物を掴む、つまむ、草をむしる等の手作業で親指に力が加わり続けると、手の親指の付け根にあるＣＭ関節に負担が蓄積され、次第に損傷に伴う炎症が起こってしまう。この手作業の繰り返しにより、手の親指の付け根にあるＣＭ関節の骨が出っ張り、押すと激痛が起こるようになる。この手の親指の付け根にあるＣＭ関節の使い過ぎにより、この部分に負担が繰り返され、関節軟骨が摩耗し破壊される結果、出っ張ったり亜脱臼を起こしたりするものである。この時、親指に加わる外力が、テコでいう「力点」となり、親指の付け根が「支点」となり、「作用点」上の手の親指の付け根にあるＣＭ関節が浮いてしまう。
本発明は、この状態を改善するためのサポータである。
【背景技術】
【０００２】
従来は、図６に示すように、親指を挿入できる筒状部を有し、その筒状部に親指を挿入して、ホッケーで使用するスティックの先のような形状をしている手首に巻回できる部位を有し、巻回して先端部をマジック（登録商標）テープ等で係止できるようにしたサポータ（例えば、図６参照）が存在している。
従来技術としては、先端は露出させた状態で母指をそのＭＰ関節近傍からＣＭ関節を越えた部位までを包み込む母指キャップと、手関節を周回させて係止することで該母指キャップを固定するベルトとにより構成されるものであって、該母指キャップは母指外側に相当する部分に補強布を内包するシリコーンラバーにより形成される母指関節装具（例えば、特許文献１を参照）が存在している。
【先行技術文献】
【特許文献】
【０００３】
【特許文献１】特開２００１−２１８７８１号公報(特許請求の範囲の欄、発明の詳細な説明の欄、及び図１、図２を参照)
【発明の概要】
【発明が解決しようとする課題】
【０００４】
手の親指の付け根にあるＣＭ関節は、親指等で物をつまむ作業を繰り返すことで、ＣＭ関節に負担が蓄積して、次第に損傷を伴う炎症が起こり、ＣＭ関節の骨が出っ張る症状が発生する問題があった。この症状を抑えるため、この骨の出っ張りを押さえ込むような作用が奏されるクッション部材を手の親指の付け根にあるＣＭ関節における骨を押さえるように設け、このクッション部材を覆う部材としてマジック（登録商標）テープを採用することで、本発明のサポータを手首に巻回した際、係止するのに利用できるようにした。
また、従来のサポータの形状では、片手で装着するので、サポータを手首に巻回する際、引っ張りながら巻回するので、本体がずれてしまい、ＣＭ関節を的確に圧迫固定しながらうまく巻回することができないという問題があった。
【課題を解決するための手段】
【０００５】
本発明の第１発明は、請求項１に記載された通りの手の親指の付け根にあるＣＭ関節用サポータであり、次のようなものである。
手の親指の付け根にあるＣＭ関節の炎症を予防、改善するためのサポータであって、伸縮性部材からなる略逆Ｔ字状を有し、立ち上がった部分に手の親指が挿入できる円筒状部を有する親指キャップを設け、横に平行な部分は、一方が手首に巻回できる部分を有し、その端部にマジック（登録商標）テープが設けられており、さらに他方は装着する手の親指の他の指で押さえることができる押さえ部分を有し、さらに親指の付け根にあるＣＭ関節を押さえるクッション材を円筒状部の下方斜めに取り付ける構成である。
【発明の効果】
【０００６】
本発明に係る手の親指の付け根にあるＣＭ関節用サポータは、上記説明のような構成を有するので、以下に記載する効果を奏する。
（１）本発明の手の親指の付け根にあるＣＭ関節用サポータは、装着する手の中指、薬指等で押さえながらサポータを手首に巻回できるので、片手で装着することができる。
（２）手の親指の付け根にあるＣＭ関節部分を的確にクッション部材で押しつけ、圧迫固定が持続できるので、骨の出っ張りを防止することができる。
（３）本発明の手の親指の付け根にあるＣＭ関節用サポータを手首に巻回する際、手の親指の付け根にあるＣＭ関節部にクッション部材が正確にずれずに圧迫固定することができる。
（４）クッション部材をサポータに取り付ける際、マジック（登録商標）テープの内側に取り付けてあるので、さらに圧迫力が増し、有効に圧迫固定することができる。
（５）クッション材が、ＣＭ関節を斜めから押圧する構造なので、長時間使用しても締め付け力が分散するので、痛みが出ることが少なく、安全である。
【図面の簡単な説明】
【０００７】
【図１】本発明の手の親指の付け根にあるＣＭ関節に使用するサポータを示す概略正面図である。
【図２】本発明の手の親指の付け根にあるＣＭ関節に使用するサポータを示す概略正面図である。
【図３】本発明の手の親指の付け根にあるＣＭ関節用サポータの第一実施例を示す平面図である。
【図４】本発明の手の親指の付け根にあるＣＭ関節用サポータの第一実施例を使用した状態を示す側面図である。
【図５】本発明の手の親指の付け根にあるＣＭ関節用サポータの第一実施例を使用した状態を示す部分正面図である。
【図６】手の親指の付け根と手首の関節用サポータの従来例を示す平面図である。
【発明を実施するための形態】
【０００８】
手の親指の付け根にあるＣＭ関節の炎症を予防、改善するためのサポータであって、伸縮性部材からなる略逆Ｔ字状を有し、立ち上がった部分に手の親指が挿入できる円筒状部を有する親指キャップを設け、横に平行な部分は、一方が手首に巻回できる部分を有し、その端部にマジック（登録商標）テープが設けられており、さらに他方は装着する手の親指の他の指で押さえることができる押さえ部分を有し、さらに親指の付け根にあるＣＭ関節を押さえるクッション材を円筒状部の下方斜めに取り付ける手の親指の付け根にあるＣＭ関節用サポータである。
【実施例】
【０００９】
以下、図面を用いて本発明の一実施例の手の親指の付け根にあるＣＭ関節用サポータを説明する。
本発明の手の親指の付け根にあるＣＭ関節用サポータは、手の親指の付け根にあるＣＭ関節の炎症であるＣＭ関節症の予防、改善を促すサポータである。
ここで、従来のサポータについて、図６に基づいて簡単に説明する。
図６に示す通り、競技のホッケーのスティックの先部のような略逆Ｌ字状の立ち上がる部分である円筒状部１´に親指が挿入できる形状にし、該円筒状部１´に親指を挿入して、横に平行な部分２´を手首に巻回してマジック（登録商標）ファスナーで係止するものであるが、横に平行な部分２´の先端を持って手首に巻回しようとすると、引っ張られてずれてしまい、ＣＭ関節を的確に捉えられなくなる問題があった。これを解決したのが、本発明の手の親指の付け根にあるＣＭ関節用サポータである。
【００１０】
ここで、具体的な実施例について図１〜図５に基づいて第一実施例を説明する。
本発明の第一実施例は、手の親指の付け根にあるＣＭ関節用サポータであって、伸縮性のある素材で形成し、その構造は、図１、図２に示すような略逆Ｔ字状を有し、立ち上がった部分に親指が挿入できる円筒状部１を有する親指キャップを設け、横に平行な部分２は一方は手首に巻回できる長さ部分２ａで端部にマジック（登録商標）テープ３が設けられている。さらに他方は装着する手の中指、薬指等で押さえることができる長さ部分２ｂにし、さらに親指の付け根にある関節を押さえるクッション材４を円筒状部１の下方に斜めに取り付けたものである。
本発明は、以上のような形状のサポータであり、片手で簡単に装着することができる。
それは、図３〜図５に示すように、円筒状部１に親指を挿入し、横に平行な部分の他方の中指、薬指等で押さえることができる長さ部分２ｂを手の平に位置させ、中指、薬指等で押さえる部分２を図３に示すように中指、薬指で押さえ、手首に巻回できる長さ部分２ａを他方の手で引っ張りながら手首に巻回し、端部のマジック（登録商標）テープ３で係止して装着するものである。この際、中指、薬指で押さえる部分２が存在するため、従来のサポータとは違い、狭い範囲のＣＭ関節部からずれることなく、またクッション材４の位置がずれることもなく、的確な部分にサポータをセットすることができるものである。
【産業上の利用可能性】
【００１１】
手指の中節関節や、人差し指や中指、薬指、小指の炎症がある場合にも、各指に適合する形状の円筒状部を設けることで、手首に巻回して保護するものにも利用することができる。
【符号の説明】
【００１２】
１・・・・円筒状部
２・・・・横に平行な部分
２ａ・・・・手首に巻回する部分
２ｂ・・・・中指、薬指等で押さえる部分
３・・・・マジック（登録商標）テープ
４・・・・クッション材
１´・・・・円筒状部
２´・・・・横に平行な部分
【図１】
2020069362.tif 000003
【図２】
2020069362.tif 000004
【図３】
2020069362.tif 000005
【図４】
2020069362.tif 000006
【図５】
2020069362.tif 000007
【図６】
2020069362.tif 000008